(57)【特許請求の範囲】
【請求項１】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含み、
上記の椅子フレーム(502)は、上の方向または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きによって前進または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)を含んだものを特徴とする座敷型シャンプー椅子。
【請求項２】
足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ(506)を含み、
上記の椅子フレーム(502)は上の方向、または下の方向に動く足乗せ台(526)と；上記の足乗せ台(526)に設置され、足乗せ台(526)の動きによって上の方向、または下の方向に動く第1垂直ローダー(528)と；上記の第1垂直ローダー(528)に斜めに設置され、第1垂直ローダー(528)の動きによって上の方向、または下の方向に動く第2傾斜ローダー(532)と；上記の第2傾斜ローダー(532)に設置され、第2傾斜ローダー(532)の動きにより前進、または後進する水平ローダー(534)と；上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と；上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動する回転ローラー(544)を含んだものを特徴とする座敷型シャンプー椅子。
【発明の詳細な説明】
【技術分野】
【０００１】
本発明はシャンプー椅子に関するもので、より詳しくは背もたれ部がそり返る時、同時に足乗せ台が連動して持ち上げられるようにし、シャンプするお客様がより楽な状態でシャンプーサービスを受けることができるようにする座敷型シャンプー椅子に関するものである。
【０００２】
そして、本発明は足乗せ台を利用し、背もたれ支持台がそり返る時、同時に椅子の座支持台が連動して持ち上げられるようにし、シャンプするお客様がより楽な状態でシャンプーサービスを受けることができるようにする座敷型シャンプー椅子に関するものである。
【背景技術】
【０００３】
主に、一般的に、床屋や、美容院で使われているシャンプー椅子は電動式シャンプー椅子と座敷型シャンプ椅子に分けられ、上記の電動式シャンプー椅子はモーターを利用し、椅子の高さを調節するもので、椅子背もたれ部もモーター駆動によって水平を成す構造で、歯科用の椅子に似ている構造を持つ。そして、上記のの座敷型シャンプー椅子は椅子と、その後でシャンプーができるようシャンプー台を備え、使用者が頭を後に反らし、顔は仰向けにするようにしてシャンプー用に使われている。
【０００４】
上記の座敷型シャンプー椅子は大韓民国特許庁にたくさん出願されている実情にあり、2003年 09月 30日付け、出願番号第20-2003-0030829号(発明の名称：シャンプー用椅子)は、身体を支える座板部、座板部の左右側に設置されるひじ掛け及び座板部の後ろ側に背もたれ部を装着したシャンプー用椅子と、シャンプー用椅子に近接した位置に頭髪洗浄組を具備したものにおいて、上記の座板部(11)と背もたれ部(12)は軸棒(30)によって折り畳みが可能になるよう装着するが、ガスエブソーバー(20)のような緩衝手段によって緩やかな速度で動くようにするものと、上記の座板部(11)と足乗せ台(13)はヒンジ(23)によって折り畳みが可能になるように装着するが、座板部(11)と足乗せ台(13)をリンク(22a)(22b)して連結する連動手段によって上記の背もたれ部(12)と連動するようにするものと、上記の座板部(11)の底面一側に装着し、座板部(11)を支える本体(15)と、上記のの本体(15)の一側上端にシャワー幾(17)を備えた頭髪洗浄組(16)を一体に具備する。
【０００５】
しかしながら、上記のような従来のシャンプ用の椅子は人によって座高の高さが違うことにより、シャンプー台の首ふり部(首を支える凹部)と座台との適切な間隔維持が難しく、椅子の座台がスライドする時、重量中心が身体の下部の方に傾く現象によって首周りが引かれる構造で、特に筋力が衰弱する高齢者には大きな負担になっている問題点があった。
【発明の概要】
【発明が解決しようとする課題】
【０００６】
したがって、本発明は上記の従来技術による諸般の問題点を解決するため、改良発明されたもので、本発明の目的は人体の構造上、人は腰を基準に上・下に分けた時、上部すなわち、腰の上の部分が人体の下部の足部位より重さが重いのに着眼し、シャンプー椅子の背もたれ部に重みが加わると、その重さの力がローダーを通じて回転レバーを押し、その回転レバーに附着した椅子の座支持台が上昇する構造になっていて、人の上半身が水平に近いほど大きな力が生成されるようにし、シャンプするお客様がより楽な状態でシャンプーサービスを受けることができるようにする座敷型シャンプー椅子を提供するのにある。
【０００７】
そして、本発明の目的は足乗せ台を利用して背もたれ支持台がそり返る時、同時に椅子の座支持台が連動して持ち上げられるようにし、シャンプするお客様がより楽な状態でシャンプーサービスを受けることができるようにする座敷型シャンプー椅子を提供するのにある。
【課題を解決するための手段】
【０００８】
上記の目的を果たすための本発明による座敷型シャンプー椅子は、
第1脚フレーム(102)と；上記の第1脚フレーム(102)から一定の間隔を置いて位置された第2脚フレーム(104)と；上記の第1脚フレーム(102)の後方一側と上記の第2脚フレーム(104)の後方一側の間に設置される固定台(106)と；上記の固定台(106)の一側に設置された第3ローダー(180)と；上記の第3ローダー(180)の一側に設置され、上記の第3ローダー(180)の動きによって椅子の座支持台(150)を動かす第2ローダー(178)と；上記の第3ローダー(180)の一側に設置され、上記の第3ローダー(180)の動きによって背もたれ板(162)を動かす第1ローダー(168)を含む。
【発明の効果】
【０００９】
以上で上述したように本発明による座敷型シャンプー椅子は腰の上の部分が人体の下部の足部位より重さが重いのに着眼し、シャンプー椅子の背もたれ部位に重さが加わると、その重さの力がローダーを通じて回転レバーを押し、その回転レバーに附着された椅子の座支持台が上昇する構造になっていて、人の上半身が水平に近いほど大きな力が生成されるようにし、シャンプするお客様がより楽な状態でシャンプーサービスを受けることができるようにすることで、シャンプするお客様がより楽な状態でシャンプーサービスを受けることができる効果がある。
【００１０】
そして、本発明は腰の上の部分が人体の下部の足の部位より重さが重いのに着眼し、シャンプー椅子の背もたれ部位に重さが加わると足乗せ台を操作することで、垂直ローダーを通じて椅子の座支持台を押し、その椅子の座支持台が上昇する構造になっていて、人の上半身が水平に近いほど大きな力が生成されるようにし、シャンプするお客様がより楽な状態でシャンプーサービスを受けることができるようにする効果がある。
【図面の簡単な説明】
【００１１】
【図１】本発明による座敷型シャンプー椅子の第1実施例を表した図面
【図２】図1の要部を分解した図面
【図３】図1のフレームの平面要部を概略的に表した図面
【図４】図1の分解図
【図５】図1の座敷型シャンプー椅子の使用状態を表した図面
【図６】図1の座敷型シャンプー椅子の使用状態を表した図面
【図７】図1の座敷型シャンプー椅子の使用状態を表した図面
【図８】本発明による座敷型シャンプー椅子の第2実施例の要部を分解した図面
【図９】図8の分解図
【図１０】図8の座敷型シャンプー椅子の使用状態を表した図面
【発明を実施するための形態】
【００１２】
以下、本発明による座敷型シャンプー椅子の望ましい実施例を説明すると次のようである。
【実施例１】
【００１３】
図1は本発明による座敷型シャンプー椅子の第1実施例を表した図面で、図2は図1の要部を分解した図面であり、図3は図1のフレームの平面要部を概略的に表した図面で、図4は図1の分解図である。
【００１４】
図1から図4に図示されたように第1実施例の座敷型シャンプー椅子(100)は、
"∩"字形状の第1脚フレーム(102)と；上記の"∩"字形状の第1脚フレーム(102)から一定の間隔を置いて位置された"∩"字形状の第2脚フレーム(104)と；上記の"∩"字形状の第1脚フレーム(102)の後方一側と上記の"∩"字形状の第2脚フレーム(104)の後方一側の間に設置される固定台(106)と；上記の"∩"字形状の第1脚フレーム(102)の前方一側に設置される第1突起片(108)と；上記の"∩"字形状の第2脚フレーム(104)の前方一側に設置される第2突起片(110)と；上記の"∩"字形状の第1脚フレーム(102)の上面一側に設置される第1水平板(112)と；上記の"∩"字形状の第2脚フレーム(104)の上面一側に設置される第2水平板(113)と；上記の第1水平板(112)の端部に垂直に延長、設置され、上記の第1突起片(108)の端部に設置される第1側板(114)と；上記の第2水平板(113)の端部に垂直に延長、設置され、上記の第2突起片(110)の端部に設置される第2側板(116)と；上記の第1側板(114)の端部と第2側板(116)の端部に水平に延長、設置され、上記の第1突起片(108)の端部と上記の第2突起片(110)の端部に設置される支持板(118)と；上記の支持板(118)の上面一側に設置された第1垂直板(120)と；上記の第1垂直板(120)から一定の間隔を置いて上記の支持板(118)の上面一側に設置された第2垂直板(122)と；上記の第1垂直板(120)の上部一側に一定の間隔を置いて形成された第1及び第2貫通孔(124)(126)と；上記の第1垂直板(120)の第1貫通孔(124)に対応されるよう、上記の第2垂直板(122)の上部一側に形成された第3貫通孔(128)と；上記の第1垂直板(120)の第2貫通孔(126)に対応するよう、上記の第2垂直板(122)の上部一側に形成された第4貫通孔(130)と；上記の第1貫通孔(124)、第3貫通孔(128)に挿入、固定される第1シャフト(132)と；上記の第2貫通孔(126)、第4貫通孔(130)に挿入、固定される第2シャフト(134)と；上記の第2シャフト(134)の一側端部に回転可能に設置された第1回転レバー(136)と；上記の第1シャフト(132)の一側端部に回転可能に設置されるが、本体の中央に第5貫通孔(137)を持つ第2回転レバー(138)と；上記の第2シャフト(134)の他側端部に回転可能に設置された第3回転レバー(140)と；上記の第1シャフト(132)の他側端部に回転可能に設置されるが、本体の中央に上記の第2回転レバー(138)の第5貫通孔(137)に対応するよう、第6貫通孔(141)を持つ第4回転レバー(142)と；上記の第5貫通(137)、第6貫通孔(141)に挿入、固定される第3シャフト(144)と；上記の第1側板(114)と第1垂直板(120)の間に位置され、上記の第1回転レバー(136)と第2回転レバー(138)に設置され、第1及び第2回転レバー(136)(138)の動作によって動くが、本体の端に第7貫通孔(145)を持つ第1ガイド(146)と；上記の第2側板(116)と第2垂直板(122)の間に位置されて上記の第3回転レバー(140)と第4回転レバー(142)に設置され、第3及び第4回転レバー(140)(142)の動作によって動くが、本体の端に第8貫通孔(147)を持つ第2ガイド(148)と；上記の第1ガイド(146)の上面と第2ガイド(148)の上面一定の間隔を置いて設置される椅子の座支持台(150)と；上記の第7貫通(145)、第8貫通孔(147)に挿入、固定される第4シャフト(152)と；上記の第4シャフト(152)の一側端部と他側端部に回転可能に設置されるが、本体の端に第9及、び第10貫通孔(154)(156)を持つ"L"字型背もたれ支持台(158)と；上記の第9貫通孔(154)、第10貫通孔(156)に挿入、固定される第5シャフト(160)と；上記の第5シャフト(160)に回転可能に設置される背もたれ板(162)と；上記の第5シ���フト(160)に回転可能に一定の長さの垂直に設置され、上記の背もたれ板(162)を動かすが、本体の端に第11及び第12貫通孔(164)(166)を持つ第1ローダー(168)と；上記の第11貫通孔(164)、第12貫通孔(166)に挿入、固定される第6シャフト(169)と；上記の固定台(106)の中央に突き出されて設置されるが、本体の端に第13及び第14貫通孔(170)(172)を持つ結合部(174)と；上記の第13貫通孔(170)、第14貫通孔(172)に挿入、固定される第7シャフト(176)と；上記の第3シャフト(144)と第6シャフト(169)に設置され、第2回転レバー(138)と第4回転レバー(142)を動かす第2ローダー(178)と；上記の第6シャフト(169)と第7シャフト(176)に回転可能に設置され、上記の第1ローダー(168)及び第2ローダー(178)を動かす第3ローダー(180)と；上記の第1水平板(112)の上面に設置された第1ひじ掛け部(182)と；上記の第2水平板(113)の上面に設置された第2ひじ掛け部(184)と；上記の椅子の座支持台(150)の上面に設置されたクッション用の座台(186)と；上記の背もたれ板(162)の上面に設置されたクッション用の背もたれ部(188)を含む。
【００１５】
上記ののように第1実施例の座敷型シャンプー椅子(100)の組み立て過程及び動作、図5から図7を参照し、説明すると次のようである。
【００１６】
"∩"字形状の第1脚フレーム(102)を位置させた後、上記の"∩"字形状の第1脚フレーム(102)から一定の間隔を置いて"∩"字形状の第2脚フレーム(104)を位置させる。それから、上記の"∩"字形状の第1脚フレーム(102)の後方一側と上記の"∩"字形状の第2脚フレーム(104)の後方一側の間に固定台(106)を設置する。
【００１７】
そして、上記の"∩"字形状の第1脚フレーム(102)の前方一側に第1突起片(108)を設置した後、上記の"∩"字形状の第2脚フレーム(104)の前方一側に第2突起片(110)を設置する。それから上記の"∩"字形状の第1脚フレーム(102)の上面一側に第1水平板(112)を設置した後、上記の"∩"字形状の第2脚フレーム(104)の上面一側に第2水平板(113)を設置する。
【００１８】
そして、上記の第1水平板(112)の端部に垂直に第1側板(114)を延長、設置した後、上記の第1側板(114)を第1突起片(108)の端部に設置する。そして、上記の第2水平板(113)の端部に垂直に第2側板(116)を延長、設置した後、[0099]上記の第2側板(116)を第2突起片(110)の端部に設置する。
【００１９】
そして、上記の第1側板(114)の端部と第2側板(116)の端部に水平に支持板(118)を延長、設置した後、上記の支持板(118)を上記の第1突起片(108)の端部と上記の第2突起片(110)の端部に設置する。そして、上記の支持板(118)の上面一側に第1垂直板(120)を設置した後、上記の第1垂直板(120)から一定の間隔を置いて上記の支持板(118)の上面一側に第2垂直板(122)を設置する。この時、上記の第1垂直板(120)の上部一側に一定の間隔を置いて第1及び第2貫通孔(124)(126)を形成すると同時に、上記の第1垂直板(120)の第1貫通孔(124)に対応するよう、上記の第2垂直板(122)の上部一側に第3貫通孔(128)を形成し、上記の第1垂直板(120)の第2貫通孔(126)に対応されるよう、上記の第2垂直板(122)の上部一側に第4貫通孔(130)を形成する。
【００２０】
そして、上記の第1貫通孔(124)、第3貫通孔(128)に第1シャフト(132)を挿入して固定した後、上記の第2貫通孔(126)、第4貫通孔(130)に第2シャフト(134)を挿入して固定する。そして、上記の第2シャフト(134)の一側端部に回転可能に第1回転レバー(136)を設置し、上記の第1シャフト(132)の一側端部に回転可能に第2回転レバー(138)を設置する。ここで、上記の第2回転レバー(138)は第5貫通孔(137)を持つ。
【００２１】
そして、上記の第2シャフト(134)の他側端部に回転可能に第3回転レバー(140)を設置し、上記の第1シャフト(132)の他側端部に回転可能に第4回転レバー(142)を設置する。ここで、上記の第4回転レバー(142)は第5貫通孔(137)に対応するよう第6貫通孔(141)を持つ。
【００２２】
そして、上記の第5貫通(137)、第6貫通孔(141)に第3シャフト(144)を挿入して固定する。そして、上記の第1側板(114)と第1垂直板(120)の間に第1ガイド(146)を位置した後、上記の第1ガイド(146)の側面に第1回転レバー(136)と第2回転レバー(138)を設置する。ここで、上記の第1ガイド(146)は端に第7貫通孔(145)を持つ。そして、上記の第2側板(116)と第2垂直板(122)の間に第2ガイド(148)を位置した後、上記の第2ガイド(148)の側面に第3回転レバー(140)と第4回転レバー(142)を設置する。ここで、上記の第2ガイド(148)は端に第8貫通孔(147)を持つ。
【００２３】
そして、上記の第1ガイド(146)の上面と第2ガイド(148)の上面に一定の間隔を置いて椅子の座支持台(150)を設置する。そして、上記の第1ガイド(146)の第7貫通(145)、第2ガイド(148)の第8貫通孔(147)に第4シャフト(152)を挿入して固定した後、上記の第4シャフト(152)の一側端部と他側端部に回転可能に"L"字型背もたれ支持台(158)を設置する。ここで、上記の"L"字型背もたれ支持台(158)の端に第9及び第10貫通孔(154)(156)を持つ。
【００２４】
そして、上記の"L"字型背もたれ支持台(158)の第9貫通孔(154)、"L"字型背もたれ支持台(158)の第10貫通孔(156)に第5シャフト(160)を挿入して固定する。そして、上記の第5シャフト(160)に背もたれ板(162)を回転可能に設置した後、上記の第5シャフト(160)に第1ローダー(168)を回転可能に設置する。ここで、上記の第1ローダー(168)は端に第11及び第12貫通孔(164)(166)を持つ。
【００２５】
そして、上記の第1ローダー(168)の第11貫通孔(164)、第1ローダー(168)の第12貫通孔(166)に第6シャフト(169)を挿入して固定する。そして、上記の固定台(106)の中央に結合部(174)を設置する。ここで、上記の結合部(174)は端に第13及び第14貫通孔(170)(172)を持つ。
【００２６】
そして、上記の結合部(174)の第13貫通孔(170)、結合部(174)の第14貫通孔(172)に第7シャフト(176)を挿入して固定する。そして、上記の第3シャフト(144)と第6シャフト(169)に第2ローダー(178)を設置する。そして、上記の第6シャフト(169)と第7シャフト(176)に上記の第1ローダー(168)及び第2ローダー(178)を動かす第3ローダー(180)を設置する。
【００２７】
そして、上記の第1水平板(112)の上面に第1ひじ掛け部(182)を設置して、上記の第2水平板(113)の上面に第2ひじ掛け部(184)を設置し、上記の椅子の座支持台(150)の上面にクッション用の座台(186)を設置して上記の背もたれ板(162)の上面にクッション用の背もたれ部(188)を設置する。
上記のように本発明による座敷型シャンプー椅子の組み立てが完了した後、シャンプーするため使用者がクッション用座台(186)に着席して洗面台に頭を位置した場合、使用者はクッション用背もたれ部(188)を後に押す。
【００２８】
上記のクッション用背もたれ部(188)の動作によって第5シャフト(160)に回転可能に設置された背もたれ板(162)が回転する。上記の背もたれ板(162)の回転によって第4シャフト(152)に繋がれた"L"字型背もたれ支持台(158)がやや上に持ち上げられると同時に第5シャフト(160)に回転可能に設置された第1ローダー(168)が回転しながら下側に動く。
【００２９】
上記の第1ローダー(168)の動作により、第6シャフト(169)に繋がれた第3ローダー(180)が下側に動く。上記の第3ローダー(180)の動きによって上記の第3ローダー(180)は第6シャフト(169)に繋がれた第2ローダー(178)を座敷型シャンプー椅子(100)の前方に押す。上記の第2ローダー(178)の動きによって第1回転レバー(136)と第2回転レバー(138)と第3回転レバー(140)と第4回転レバー(142)は時計回りに動く。
【００３０】
上記の第1回転レバー(136)と第2回転レバー(138)と第3回転レバー(140)と第4回転レバー(142)の動きによって、第1ガイド(146)と第2ガイド(148)が上側に動く。上記の第1ガイド(146)と第2ガイド(148)の動きよって椅子の座支持台(150)に設置されたクッション用の座台(186)の前の部分がやや上に持ち上げられる。
【００３１】
反対に、シャンプーが完了した後、使用者がクッション用の座台(186)を元の位置に戻す場合、使用者はクッション用の座台(186)を後に押す。上記のクッション用座台(186)の動作により、第4シャフト(152)に繋がれた"L"字型背もたれ支持台(158)が下に下る(元の位置)と同時に、第5シャフト(160)に回転可能に設置された第1ローダー(168)が回転しながら上側に動く。この時、上記の第5シャフト(160)に回転可能に設置された背もたれ板(162)が元の位置に戻る。
【００３２】
上記の第1ローダー(168)の動作によって第6シャフト(169)に繋がれた第3ローダー(180)が上側に動く。上記の第3ローダー(180)の動きによって上記の第3ローダー(180)は第6シャフト(169)に繋がれた第2ローダー(178)を座敷型シャンプー椅子(100)の後方に引っぱる。上記の第2ローダー(178)の動きによって第1回転レバー(136)と第2回転レバー(138)と第3回転レバー(140)と第4回転レバー(142)は反時計回りに動く。
【００３３】
上記の第1回転レバー(136)と第2回転レバー(138)と第3回転レバー(140)と第4回転レバー(142)の動きによって第1ガイド(146)と第2ガイド(148)が下側に動く。上記の第1ガイド(146)と第2ガイド(148)の動きによって椅子の座支持台(150)に設置されたクッション用の座台が下の元の位置に戻る。
【実施例２】
【００３４】
図8は本発明による座敷型シャンプー椅子の第2実施例の要部を分解した図面で、図9は図8の分解図である。
【００３５】
図8から図9に図示されたように第2実施例の座敷型シャンプー椅子(500)は、足乗せ台の操作に椅子の座支持台及び背もたれ支持台が動くようにする椅子フレーム(502)と；上記の椅子フレーム(502)の椅子の座支持台に設置され、クッションを提供するクッション用の座台(504)と；上記の椅子フレーム(502)の背もたれ支持台に設置され、クッションを提供するクッション用の背もたれ部(506)を含む。
【００３６】
ここで、上記の椅子フレーム(502)は、第1脚(508)と；上記の第1脚(508)から一定の間隔を置いて位置された第2脚(510)と；上記の第1脚(508)と第2脚(510)の間に設置された前方連結台(512)と；上記の第1脚(508)から一定の間隔を置いて位置された第3脚(514)と；上記の第3脚(508)から一定の間隔を置いて位置された第4脚(516)と；上記の第3脚(514)と第4脚(516)の間に設置された後方連結台(518)と；上記の前方連結台(512)と後方連結台(518)の間に設置された第1支持台(520)と；上記の第1支持台(520)から一定の間隔を置いて上記の前方連結台(512)と後方連結台(518)の間に設置された第2支持台(522)と；上記の第3脚(514)と第4脚(516)の間に位置され上の方向、または下の方向にに動く足乗せ台(526)と；上記の足乗せ台(526)に設置され、足乗せ台(526)の動きによって上の方向、または下の方向に動く第1垂直ローダー(528)と；上記の第1及び第2支持台(520)(522)と足乗せ台(526)の間に斜めに設置され、上記の足乗せ台(526)を元の位置に戻す第1傾斜ローダー(530)と；上記の第1垂直ローダー(528)に斜めに設置され、第1垂直ローダー(528)の動きによって上の方向、または下の方向に動く第2傾斜ローダー(532)と；上記の第1支持台(520)と第2支持台(522)の間に位置されるが、第2傾斜ローダー(532)に設置され、上記の第2傾斜ローダー(532)の動きによって前進、または後進する水平ローダー(534)と；上記の第1支持台(520)の前方と第2支持台(522)の前方の間に上下にスライディング可能に設置されると同時に、上記の水平ローダー(534)に設置され、水平ローダー(534)の動きによって上の方向、または下の方向に動くスライディング手段(536)と；上記のスライディング手段(536)に設置され、スライディング手段(536)の動きによって上の方向、または下の方向に動く椅子の座支持台(538)と、上記の椅子の座支持台(538)に回動可能に設置された背もたれ支持台(540)と；上記の第2傾斜ローダー(532)に垂直に設置され、上記の第2傾斜ローダー(532)の動きによって上の方向、または下の方向に動く第2垂直ローダー(542)と；上記の第2垂直ローダー(542)と背もたれ支持台(540)の間に回動可能に設置され、上記の第2垂直ローダー(542)の動きによって背もたれ支持台(540)を回動させる回転ローラー(544)を含む。
【００３７】
上記のように第2実施例の座敷型シャンプー椅子(500)の組み立て過程及び動作を図10を参照にし、説明すると次のようである。
【００３８】
第1脚(508)を位置させた後、上記の第1脚(508)から一定の間隔を置いて第2脚(510)を位置させる。そして、上記の第1脚(508)と第2脚(510)の間に前方連結台(512)を設置する。そして、上記の第1脚(508)から一定の間隔を置いて第3脚(514)を位置させた後、上記の第3脚(508)から一定の間隔を置いて第4脚(516)を位置させる。そして、上記の第3脚(514)と第4脚(516)の間に後方連結台(518)を設置する。
【００３９】
そして、上記の前方連結台(512)と後方連結台(518)の間に第1支持台(520)と設置した後、上記の第1支持台(520)から一定の間隔を置いて上記の前方連結台(512)と後方連結台(518)の間に第2支持台(522)を設置する。そして、上記の第3脚(514)と第4脚(516)の間に上の方向、または下の方向に動く足乗せ台(526)を位置させた後、上記の足乗せ台(526)に足乗せ台(526)の動きによって上の方向、または下の方向に動く第1垂直ローダー(528)を設置する。
【００４０】
そして、上記の第1及び第2支持台(520)(522)と足乗せ台(526)の間に斜めに上記の足乗せ台(526)を元の位置に戻す第1傾斜ローダー(530)を設置する。そして、上記の第1垂直ローダー(528)に斜めに上記の第1垂直ローダー(528)の動きによって上の方向、または下の方向に動く第2傾斜ローダー(532)を設置する。
【００４１】
そして、上記の第1支持台(520)と第2支持台(522)の間に水平ローダー(534)を位置した後、上記の第2傾斜ローダー(532)に第2傾斜ローダー(532)の動きによって前進、または後進する水平ローダー(534)を設置する。そして、上記の第1支持台(520)の前方と第2支持台(522)の前方の間に上下にスライディング可能にスライディング手段(536)を設置した後、上記のスライディング手段(536)を水平ローダー(534)を設置する。
【００４２】
そして、上記のスライディング手段(536)にスライディング手段(536)の動きによって上の方向、または下の方向に動く椅子の座支持台(538)を設置した後、上記の椅子の座支持台(538)に回動可能に背もたれ支持台(540)を設置する。そして、上記の第2傾斜ローダー(532)に垂直するように、第2傾斜ローダー(532)の動きによって上の方向、または下の方向に動く第2垂直ローダー(542)を設置すると同時に、上記の第2垂直ローダー(542)に第2垂直ローダー(542)の動きによって背もたれ支持台(540)を回動する回転ローラー(544)を設置する。
【００４３】
上記のように足乗せ台の操作により、椅子の座支持台及び背もたれ支持台が動くようにする椅子フレーム(502)の組み立てが完了したら、上記の椅子フレーム(502)の椅子の座支持台にクッションを提供するクッション用の座台(504)を設置すると同時に、上記の椅子フレーム(502)の背もたれ支持台にクッションを提供するクッション用の背もたれ部(506)を設置する。
【００４４】
上記のように第2実施例の座敷型シャンプー椅子の組み立てが完了したら、シャンプーするための顧客がクッション用の座台(504)に着席し、洗面台に頭を位置する場合、作業者はクッション用の背もたれ部(188)を押した後、足乗せ台(526)を下の方向に押す。
【００４５】
上記の足乗せ台(526)が下の方向へ動くにつれ、上記の足乗せ台(526)に設置された第1垂直ローダー(528)が下の方向に動く。そして、上記の第1垂直ローダー(538)が下の方向に動く時、第1垂直ローダー(528)に設置された第2傾斜ローダー(532)が下の方向に動くと同時に、上記の第2傾斜ローダー(532)は水平ローダー(534)を前方に前進させる。これにより、上記の水平ローダー(534)は進む。
【００４６】
上記の水平ローダー(534)の前進によって上記の水平ローダー(534)に繋がれたスライディング手段(536)が上の方向に動く。そして、上記のスライディング手段(536)に設置された椅子の座支持台(536)が上の方向に動いて、上記の椅子の座支持台(536)に回動可能に設置された背もたれ支持台(540)が時計回りに回動し、上記の背もたれ支持台(540)は回転ローラー(544)によって、もう一回、時計回りに回転をする。
【００４７】
したがって、上記の椅子の座支持台(536)にクッション用の座台(504)が設置され、背もたれ支持台(540)にクッション用の背もたれ部(506)が設置され、上記のクッション用の背もたれ部(506)に位置した顧客が時計回りに回動すると同時に、顧客の頭が洗面台に位置される。
【符号の説明】
【００４８】
100：座敷型シャンプー椅子02："∩"字形状の第1脚フレーム
104："∩"字形状の第2脚フレーム106：固定台108：第1突起片
110：第2突起片112：第1水平板113：第2水平板114：第1側板
116：第2側板118：支持板120：第1垂直板122：第2垂直板
132：第1シャフト134：第2シャフト136：第1回転レバー138：第2回転レバー
【図１】
0005938763.tif 000002
【図２】
0005938763.tif 000003
【図３】
0005938763.tif 000004
【図４】
0005938763.tif 000005
【図５】
0005938763.tif 000006
【図６】
0005938763.tif 000007
【図７】
0005938763.tif 000008
【図８】
0005938763.tif 000009
【図９】
0005938763.tif 000010
【図１０】
0005938763.tif 000011